(57)【要約】【課題】携帯電話機に装着したメモリカードの意図しない排出を防止する。【解決手段】メモリカードコネクタのハウジング１は、挿抜口１２より内部にメモリカード２を挿入する。ハウジング１は、ほぼメモリカード２の外形を覆う板からなる薄い直方体の箱状で、側面には、板ばね１３ａが設けられ、正面には、板ばね１３ｂが設けられている。板ばね１３ａおよび１３ｂそれぞれの先端には、板ばね１３ａ、１３ｂの内側に向いた爪３ａおよび３ｂが設けられ、爪３ａおよび３ｂは板ばね１３ａ、１３ｂの弾性力により内側に向けて付勢されている。メモリカード２を挿抜口１２からハウジング１内の奥まで挿入すると、爪３ａおよび３ｂがメモリカード２の先端に係止してメモリカード２の排出を阻止し、且つメモリカード２はカード受け５を介してばね４で排出方向に押され、メモリカード２は、爪３ａおよび３ｂとカード受け５に挟まれて固定される。【選択図】      図１
2005084703.tif 000002
【特許請求の範囲】
【請求項１】
カードを内部に収納しこのカードを挿抜する挿抜口を有するハウジングと、このハウジング内に収納されたカードが抜け出ないようにカードの前記挿抜口側に向いた端部を押さえるロック位置と前記ハウジング内に挿抜されるカードの通路から退避する退避位置とに移動可能で前記ロック位置の方向に付勢されている複数の爪とを含み、複数の前記爪について前記ロック位置に付勢する方向が異なるものがあることを特徴とするカード保持機構。
【請求項２】
カードを内部に収納しこのカードを挿抜する挿抜口を有するハウジングと、前記ハウジングに設けられた複数の板ばねと、これらの複数の板ばねそれぞれに設けられ前記板ばねの弾性変形により前記ハウジング内に収納されたカードが抜け出ないようにカードの前記挿抜口側に向いた端部を押さえるロック位置と前記ハウジング内に挿抜されるカードの通路から退避する退避位置とに移動可能で前記板ばねの弾性力により前記ロック位置の方向に付勢されている複数の爪とを含み、複数の前記爪について前記ロック位置に付勢する方向が異なるものがあることを特徴とするカード保持機構。
【請求項３】
カードを内部に収納しこのカードを挿抜する挿抜口を有するハウジングと、前記ハウジングに設けられ両側がスリットで前記ハウジングから切り離された部分を含む複数の板ばねと、これらの複数の板ばねそれぞれに設けられ前記板ばねの弾性変形により前記ハウジング内に収納されたカードが抜け出ないようにカードの前記挿抜口側に向いた端部を押さえるロック位置と前記ハウジング内に挿抜されるカードの通路から退避する退避位置とに移動可能で前記板ばねの弾性力により前記ロック位置の方向に付勢されている複数の爪とを含み、複数の前記爪について前記ロック位置に付勢する方向が異なるものがあることを特徴とするカード保持機構。
【請求項４】
前記爪の少なくとも１つは、このハウジング内に収納されたカードが抜け出ないようにカードの前記挿抜口側に向いた端部を押さえるロック位置と前記ハウジング内にカードを挿抜するために挿抜されるカードの通路から退避する退避位置とに移動する方向および前記ロック位置に付勢される方向がカードの厚さ方向であり、前記爪の他の少なくとも１つは、このハウジング内に収納されたカードが抜け出ないようにカードの前記挿抜口側に向いた端部を押さえるロック位置と前記ハウジング内に挿抜されるカードの通路から退避する退避位置とに移動する方向および前記ロック位置に付勢される方向がカードの幅方向であることを特徴とする請求項１〜３のいずれかに記載のカード保持機構。
【請求項５】
カードを内部に収納しこのカードを挿抜する挿抜口を有するハウジングと、前記ハウジングの収納したカードの表裏面（または側面）に対応する部分に設けられた板ばねと、この板ばねに設けられ前記板ばねの弾性変形により前記ハウジング内に収納したカードの厚さ方向（または幅方向）に移動してカードが抜け出ないようにカードの前記挿抜口側に向いた端部を押さえる第１のロック位置と前記ハウジング内に挿抜されるカードの通路から退避する第１の退避位置とに移動可能で前記板ばねの弾性力により前記第１のロック位置の方向に付勢されている第１の爪と、前記ハウジングに設けられカードの挿抜方向の移動範囲内を移動可能な摺動子と、この摺動子とともにカードの挿抜方向に移動し前記摺動子がカードを抜き取る方向の限界位置に在る時に前記ハウジング内に収納されたカードの幅方向（または厚さ方向）に移動してカードが抜け出ないようにカードの前記挿抜口側に向いた端部を押さえる第２のロック位置と前記ハウジング内に挿抜されるカードの通路から退避する第２の退避位置とに移動可能な第２の爪と、前記摺動子がカードの挿入方向に移動した時に前記第１の爪を前記第２の退避位置に回避させる爪退避手段と、前記摺動子をカードを抜き取る方向に付勢する第１の付勢手段と、前記第２の爪を前記第２のロック位置の方向に付勢する第２の付勢手段とを含むことを特徴とするカード保持機構。
【請求項６】
前記爪退避手段は、前記板ばねと前記ハウジングのカード収納部の間に位置する前記摺動子に連結された部材からなり、前記爪退避手段のカードの挿入方向の端部が前記板ばねの内側の面とが当接し、当該爪退避手段の端部および前記板ばねの当該端部との当接部分の双方またはいずれか一方がカードの挿入方向に行くほど内側へ寄り抜き取る方向に行くほど外側へ出っ張るような斜面からなることを特徴とする請求項５に記載のカード保持機構。
【請求項７】
前記ハウジング内に完全に収納されたカードを前記挿入口から排出する方向に付勢する排出手段を含むことを特徴とする請求項１〜６のいずれかに記載のカード保持機構。
【請求項８】
前記爪、前記第１の爪または前記第２の爪の先端の内側には斜面が設けられていることを特徴とする請求項１〜７にいずれかに記載のカード保持機構。
【請求項９】
カードは、カード端子を備えたメモリーカードであり、前記ハウジングは、収納したカードの前記カード端子と接触するハウジング端子を備えたことを特徴とする請求項１〜８のいずれかに記載のカード保持機構。
【発明の詳細な説明】
【技術分野】
【０００１】
本発明は、カード保持機構に関し、特にメモリカードを携帯電話内に保持するとともに電気的に接続するコネクタ機能を有するメモリカードコネクタに関する。
【背景技術】
【０００２】
従来のメモリカードコネクタは、可動であって退避可能なように付勢されて１箇所のみに設けられた爪あるいは可動式保持構造によりメモリカードを所定の位置に保持していたため、落下や取り扱いによる衝撃がその爪や可動式保持構造の可動方向に平行に加わった際には、意図せず容易に保持が解除されてメモリカードが飛び出してしまうことがあり、メモリカード破損やデータ損失に繋がっていた。
【０００３】
また、特開２００３−７３９７号公報（特許文献１）には、カードを一度押し込むことで所定の位置に保持し、再度カードを押し込むことでその保持を解除してカードを排出位置に移動させるハートカム機構を有しているカード脱着機構が開示されているが、この場合もカード挿入方向に平行な衝撃が加わるとカードの保持は容易に解除されてしまう。
【０００４】
【特許文献１】特開２００３−７３９７号公報
【発明の開示】
【発明が解決しようとする課題】
【０００５】
従来のメモリカードコネクタでは、メモリカードを保持するための可動式保持構造の可動方向に平行に衝撃が加わった際には、意図せず容易に保持が解除されてメモリカードが飛び出してしまうことがあるという問題があった。
【０００６】
本発明は、カードを保持するために付勢される向きが異なるカードロック用の爪を複数有することで、全ての方向からの衝撃に対して、カードが意図せず排出されることを防止し、カード破損やデータ損失のリスクを軽減するカード保持機構を提供するものである。
【課題を解決するための手段】
【０００７】
請求項１に係る発明のカード保持機構は、カード（図１の２）を内部に収納しこのカードを挿抜する挿抜口（図１の１２）を有するハウジング（図１の１）と、このハウジング内に収納されたカードが抜け出ないようにカードの前記挿抜口側に向いた端部を押さえるロック位置と前記ハウジング内に挿抜されるカードの通路から退避する退避位置とに移動可能で前記ロック位置の方向に付勢されている複数の爪（図１の３ａ、３ｂ）とを含み、複数の前記爪について前記ロック位置に付勢する方向が異なるものがあることを特徴とする。
【０００８】
請求項２に係る発明のカード保持機構は、カード（図１の２）を内部に収納しこのカードを挿抜する挿抜口（図１の１２）を有するハウジング（図１の１）と、前記ハウジングに設けられた複数の板ばね（図１の１３ａ、１３ｂ）と、これらの複数の板ばねそれぞれに設けられ前記板ばねの弾性変形により前記ハウジング内に収納されたカードが抜け出ないようにカードの前記挿抜口側に向いた端部を押さえるロック位置と前記ハウジング内に挿抜されるカードの通路から退避する退避位置とに移動可能で前記板ばねの弾性力により前記ロック位置の方向に付勢されている複数の爪（図１の３ａ、３ｂ）とを含み、複数の前記爪について前記ロック位置に付勢する方向が異なるものがあることを特徴とする。
【０００９】
請求項３に係る発明のカード保持機構は、カード（図１の２）を内部に収納しこのカードを挿抜する挿抜口（図１の１２）を有するハウジング（図１の１）と、前記ハウジングに設けられ両側がスリット（図１の６）で前記ハウジングから切り離された部分を含む複数の板ばね（図１の１３ａ、１３ｂ）と、これらの複数の板ばねそれぞれに設けられ前記板ばねの弾性変形により前記ハウジング内に収納されたカードが抜け出ないようにカードの前記挿抜口側に向いた端部を押さえるロック位置と前記ハウジング内に挿抜されるカードの通路から退避する退避位置とに移動可能で前記板ばねの弾性力により前記ロック位置の方向に付勢されている複数の爪（図１の３ａ、３ｂ）とを含み、複数の前記爪について前記ロック位置に付勢する方向が異なるものがあることを特徴とする。
【００１０】
請求項４に係る発明は、請求項１〜３のいずれかに記載のカード保持機構において、前記爪の少なくとも１つは、このハウジング内に収納されたカードが抜け出ないようにカードの前記挿抜口側に向いた端部を押さえるロック位置と前記ハウジング内にカードを挿抜するために挿抜されるカードの通路から退避する退避位置とに移動する方向および前記ロック位置に付勢される方向がカードの厚さ方向であり、前記爪の他の少なくとも１つは、このハウジング内に収納されたカードが抜け出ないようにカードの前記挿抜口側に向いた端部を押さえるロック位置と前記ハウジング内に挿抜されるカードの通路から退避する退避位置とに移動する方向および前記ロック位置に付勢される方向がカードの幅方向であることを特徴とする。
【００１１】
請求項５に係る発明のカード保持機構は、カード（図３の２）を内部に収納しこのカードを挿抜する挿抜口（図３の２２）を有するハウジング（図３の２１）と、前記ハウジングの収納したカードの表裏面（または側面）に対応する部分に設けられた板ばね（図３の２３）と、この板ばねに設けられ前記板ばねの弾性変形により前記ハウジング内に収納したカードの厚さ方向（または幅方向）に移動してカードが抜け出ないようにカードの前記挿抜口側に向いた端部を押さえる第１のロック位置と前記ハウジング内にカードを挿抜されるカードの通路から退避する第１の退避位置とに移動可能で前記板ばねの弾性力により前記第１のロック位置の方向に付勢されている第１の爪（図３の１１）と、前記ハウジングに設けられカードの挿抜方向の移動範囲内を移動可能な摺動子（図３の９）と、この摺動子とともにカードの挿抜方向に移動し前記摺動子がカードを抜き取る方向の限界位置に在る時に前記ハウジング内に収納されたカードの幅方向（または厚さ方向）に移動してカードが抜け出ないようにカードの前記挿抜口側に向いた端部を押さえる第２のロック位置と前記ハウジング内に挿抜されるカードの通路から退避する第２の退避位置とに移動可能な第２の爪（図３の７）と、前記摺動子がカードの挿入方向に移動した時に前記第１の爪を前記第２の退避位置に回避させる爪退避手段（図３の２８）と、前記摺動子をカードを抜き取る方向に付勢する第１の付勢手段（図３の１０）と、前記第２の爪を前記第２のロック位置の方向に付勢する第２の付勢手段（図３の８）とを含むことを特徴とする。
【００１２】
請求項６に係る発明は、請求項５に記載のカード保持機構において、前記爪退避手段は、前記板ばねと前記ハウジングのカード収納部の間に位置する前記摺動子に連結された部材からなり、前記爪退避手段のカードの挿入方向の端部が前記板ばねの内側の面とが当接し、当該爪退避手段の端部および前記板ばねの当該端部との当接部分の双方またはいずれか一方がカードの挿入方向に行くほど内側へ寄り抜き取る方向に行くほど外側へ出っ張るような斜面（図５の２９、３０）からなることを特徴とする。
【００１３】
請求項７に係る発明は、請求項１〜６のいずれかに記載のカード保持機構において、前記ハウジング内に完全に収納されたカードを前記挿入口から排出する方向に付勢する排出（図２の５、４）手段を含むことを特徴とする。
【００１４】
請求項８に係る発明は、請求項１〜７のいずれかに記載のカード保持機構において、前記爪、前記第１の爪または前記第２の爪の先端の内側には斜面（図１の１４）が設けられていることを特徴とする。
【００１５】
請求項９に係る発明は、請求項１〜８のいずれかに記載のカード保持機構において、カードは、カード端子を備えたメモリーカードであり、前記ハウジングは、収納したカードの前記カード端子（図２の１５）と接触するハウジング端子を備えたことを特徴とする。
【発明の効果】
【００１６】
本発明のカード保持機構は、カードを押し込むだけで簡単にハウジング内に保持でき、しかもどのような方向の衝撃がハウジングに加えられてもカードが排出されてしまうことがないという効果がある。すなわち、板ばね等で付勢される向きが異なる複数の爪を設けることにより、ある方向の衝撃を受けて１つの爪のカード保持が解除されても、他の爪がカード保持を保っているためカードがハウジングから排出されてしまうことはない。
【００１７】
従って、本発明のカード保持機構を携帯電話機のメモリカードコネクタに適用した場合は、携帯電話機にどのような向きの衝撃が加わっても、メモリカードの意図しない排出が防止され、メモリカード破損やデータ損失のリスクを軽減することができるという優れた効果を奏する。
【発明を実施するための最良の形態】
【００１８】
次に、本発明を実施するための最良の形態について図面を参照して詳細に説明する。
【００１９】
図１および図２は、それぞれ本発明の実施の形態のメモリカードコネクタのメモリカード２を挿入した状態の斜視図および断面図である。
【００２０】
図１において、メモリカードコネクタのハウジング１は、挿抜口１２より内部にメモリカード２を挿入する。ハウジング１は、ほぼメモリカード２の外形を覆う板からなる薄い直方体の箱状である。ハウジング１の側面には、板ばね１３ａが設けられ、正面には、板ばね１３ｂが設けられている。板ばね１３ａおよび１３ｂは、それぞれ一体となっているハウジング１と根本で連接されているが、両側がスリット６（図１には表せられていないが板ばね１３ａの両側にもスリット６が設けられている。）でハウジング１と切り離され、弾性変形により挿入されたメモリカード２の幅方向および厚み方向に十分に撓むことができる。
【００２１】
板ばね１３ａおよび１３ｂそれぞれの先端には、板ばね１３ａ、１３ｂの内側に向いた爪３ａおよび３ｂが設けられ、爪３ａおよび３ｂは板ばね１３ａ、１３ｂの弾性力により内側に向けて付勢されている。
【００２２】
爪３ａおよび３ｂの先端の内側には、斜面１４が設けられ、メモリカード２をハウジング１に挿入し易くしている。
【００２３】
メモリカードコネクタにメモリカード２を装着するのに、メモリカード２を挿抜口１２に差し込む時に、メモリカード２の端辺が爪３ａおよび３ｂの斜面１４に当たることにより、板ばね１３ａ、１３ｂが撓んで爪３ａおよび３ｂが外側に後退し、爪３ａおよび３ｂが邪魔になることはない。メモリカード２をハウジング１の奥へ充分に挿入してメモリカード２の全体が爪３ａおよび３ｂよりも奥へ移動すると、板ばね１３ａ、１３ｂの付勢力により爪３ａおよび３ｂが内側へ戻され、メモリカード２を排出からロックする。
【００２４】
ハウジング１の奥には、挿入されたメモリカード２を排出方向に付勢するばね４およびばね４の先端に取り付けられたカード受け５が設けられており、メモリカード２を挿抜口１２からハウジング１内の奥まで挿入すると、爪３ａおよび３ｂが内側に移動し、メモリカード２の先端に係止してメモリカード２の排出を阻止し、且つメモリカード２はカード受け５を介してばね４で排出方向に押される。従って、メモリカード２は、爪３ａおよび３ｂとカード受け５に挟まれて固定される。
【００２５】
このようにメモリカード２がハウジング１の奥まで挿入された状態では、メモリカード２に設けられた端子１５がハウジング１に設けられた端子に接触する。
【００２６】
本実施の形態のメモリカードコネクタでは、ハウジング１に挿入したメモリカード２をロックするための爪３ａおよび３ｂの可動な方向で、付勢される向き、すなわち板ばね１３ａおよび１３ｂの撓みの方向が互いの間に９０度をなす異なる方向となっている。
【００２７】
従って、本実施の形態のメモリカードコネクタを備えた携帯電話機等の落下や取り扱いによって、爪３ａの可動方向に平行な衝撃が生じた場合に、爪３ａによるメモリカード２のロックが容易に解除されても、他方の爪３ｂに対しては可動方向に垂直な衝撃であるため、爪３ｂによるメモリカード２のロックは解除されることはない。逆に、爪３ｂの可動方向に平行な衝撃が生じた場合に、爪３ｂによるメモリカード２のロックが容易に解除されても、他方の爪３ａに対しては可動方向に垂直な衝撃であるため、爪３ａによるメモリカード２のロックは解除されことはない。
【００２８】
このように可動方向が異なるロック用の爪を複数有することで、携帯電話機等に搭載されたメモリカードが落下や取り扱いの衝撃により意図せず排出されることを防止することができる。
【００２９】
ハウジング１からメモリカード２を取り出すのは、指等で爪３ａおよび３ｂを外側に押して後退させ、爪３ａおよび３ｂによるメモリカード２のロックを解除して行う。
【００３０】
図３は、本発明の他の実施の形態のメモリカードコネクタのメモリカード２を収納している状態の一部のみを断面にして示す正面図である。図４および図５は、それぞれ図３のＡＡ断面図およびＢＢ断面図である。
【００３１】
図３において、メモリカードコネクタのハウジング２１は、挿抜口２２より内部にメモリカード２を挿入する。ハウジング２１は、ほぼメモリカード２の外形を覆う板からなる薄い直方体の箱状である。ハウジング１の正面には、板ばね２３が設けられている。板ばね２３は、一体となっているハウジング２１と根本で連接されているが、両側がスリット６でハウジング２１と切り離され、弾性変形により挿入されたメモリカード２の幅方向および厚み方向に十分に撓むことができる。
【００３２】
板ばね２３の先端には、板ばね２３の内側に向いた爪１１が設けられ、爪１１は板ばね２３の弾性力により内側に向けて付勢されている。
【００３３】
ハウジング２１の側部に設けられたガイド部２５により、摺動子９および摺動子９の上に配置された爪ガイド２６が図３において上下動可能なように案内されている。爪７は、摺動子９および爪ガイド２６により、図３において左右方向に移動可能なように案内されている。
【００３４】
摺動子９は、ばね１０により上向きに付勢され、爪７は、ばね８により図３において右向きに付勢され、通常は爪ガイド２６の段差部２７がガイド部２５の天井３２に当接して、摺動子９および爪ガイド２６が上限に位置し、爪７が右に寄せられ爪７の右端が挿抜口２２のメモリカード２の挿抜時の通路内に突出するのとともに天井３２に設けた開口部からハウジング２１の上端およびガイド部２５の上端よりも上に突出している。
【００３５】
摺動子９には、ハウジング２１の正面上に延びる腕が連接され、その腕の先端に設けられた爪退避手段２８が板ばね２３に設けられた屈曲部２７の内側に配置されている。爪退避手段２８の外側下部は、上に行くほどハウジング２１の面から出っ張る斜面２９となっており、屈曲部２７の内側下部も上に行くほどハウジング２１の面から出っ張る斜面３０となっていて、斜面２９および３０は接している。
【００３６】
摺動子９が上限の位置に在るときは、図５に示すように爪退避手段２８は、屈曲部２７と一致する位置に在り、板ばね２３が収納されたメモリカード２に接し、爪１１がメモリカード２の端部を係止している。
【００３７】
爪７および１１の先端（図３の上側の端）の内側には、斜面３１が設けられ、メモリカード２をハウジング２１に挿入し易くしている。
【００３８】
メモリカードコネクタにメモリカード２を装着するのに、メモリカード２を挿抜口２２に差し込む時に、メモリカード２の端辺が爪７および１１の斜面３１に当たることにより、ばね８が圧縮され、板ばね２３が撓んで爪７および１１が外側に後退し、爪７および１１が邪魔になることはない。メモリカード２をハウジング２１の奥へ充分に挿入してメモリカード２の全体が爪７および１１よりも奥へ移動すると、ばね８および板ばね２３の付勢力により爪７および２３が内側へ移動し、メモリカード２を排出からロックする。
【００３９】
この状態で、メモリカード２は図２の場合と同様に、カード受け５を介してばね４で排出方向に押される。従って、メモリカード２は、爪７および１１とカード受け５に挟まれて固定される。
【００４０】
メモリカードコネクタに装着したメモリカード２を取り出す時は、指等で爪７を図３の左方向へスライドさせ、爪７のメモリカード２に対するロックを解除させ、同時に爪７を図３の下向きに押し込み、爪ガイド２６、摺動子９および爪退避手段２８を下側へ移動させる。爪退避手段２８の下側へ移動により、斜面２９、３０の作用で爪退避手段２８が板ばね２３を押して撓ませ爪１１が外側へ移動し、爪１１によるロックも解除される。従って、メモリカード２は、カード受け５を介して、ばね４でハウジング２１から押し出される。この状態をメモリカードコネクタの正面図である図６およびＣＣ断面図である図７に示す。
【００４１】
このように、本実施の形態のメモリカードコネクタでは、爪７の１つのみの操作で容易にハウジング２１からメモリカード２を取り出すことができる。
【００４２】
本実施の形態のメモリカードコネクタでは、ハウジング２１に挿入したメモリカード２をロックするための爪７および１１の可動な方向で、付勢される向き、すなわち、ばね８の伸縮する方向および板ばね２３の撓みの方向が互いの間に９０度をなす異なる方向となっている。
【００４３】
従って、本実施の形態のメモリカードコネクタを備えた携帯電話機等の落下や取り扱いによって、爪７の可動方向に平行な衝撃が生じた場合、爪７によるメモリカード２のロックが容易に解除されても、他方の爪１１に対しては可動方向に垂直な衝撃であるため、爪１１によるメモリカード２のロックは解除されることはない。逆に、爪１１の可動方向に平行な衝撃が生じた場合、爪１１によるメモリカード２のロックが容易に解除されても、他方の爪７に対しては可動方向に垂直な衝撃であるため、爪７によるメモリカード２のロックは解除されことはない。
【００４４】
このように可動方向が異なるロック用の爪を複数有することで、携帯電話機等に搭載されたメモリカードが落下や取り扱いの衝撃により意図せず排出されることを防止することができる。
【００４５】
なお、図３に示した実施の形態では、爪１１が設けられた板ばね２３がハウジング２１の正面に設けられ、爪７が設けられたガイド部２５がハウジング２１の側面に設けられているが、板ばね２３をハウジング２１の側面に設け、ガイド部２５をハウジング２１の正面または背面に設けるようにすることもできる。
【００４６】
また、上述の実施の形態で爪３ａ、３ｂ、７および１１は、メモリカード２の外形をなす四辺形の一辺（図２または図３における上辺）と係止する場合を示したが、これら爪がメモリカードに設けた切り欠きや穴に係止するようにしても本発明は適用できる。
【００４７】
また、本発明は、メモリカードの保持に限らず、種々のカードをハウジング内に保持する場合に適用できる。
【００４８】
また、２つの爪に限らず、１つのカードに対し３つ以上の爪を設けて保持するようにもできる。
【産業上の利用可能性】
【００４９】
携帯電話機等へのメモリカードの保持に適用できる。
【図面の簡単な説明】
【００５０】
【図１】本発明の実施の形態のメモリカードコネクタ１のメモリカード２を挿入した状態の斜視図である。
【図２】図１のメモリカードコネクタ１の断面図である。
【図３】本発明の他の実施の形態のメモリカードコネクタのメモリカード２を収納している状態の一部のみを断面にして示す正面図である。
【図４】図３のＡＡ断面図である。
【図５】図３のＢＢ断面図である。
【図６】図３に示すメモリカードコネクタの爪７および１１によるメモリカード２のロックを解除した状態の一部のみを断面にして示す正面図である。
【図７】図６のＣＣ断面図である。
【符号の説明】
【００５１】
１    ハウジング
２    メモリカード
３ａ    爪
３ｂ    爪
４    ばね
５    カード受け
６    スリット
７    爪
８    ばね
９    摺動子
１０    ばね
１１    爪
１２    挿抜口
１３ａ    板ばね
１３ｂ    板ばね
１４    斜面
１５    端子
２１    ハウジング
２２    挿抜口
２３    板ばね
２５    ガイド部
２６    爪ガイド
２７    屈曲部
２８    爪退避手段
２９    斜面
３０    斜面
３１    斜面
３２    天井
【図１】
2005084703.tif 000003
【図２】
2005084703.tif 000004
【図３】
2005084703.tif 000005
【図４】
2005084703.tif 000006
【図５】
2005084703.tif 000007
【図６】
2005084703.tif 000008
【図７】
2005084703.tif 000009